【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
ヘッドスペースガスをライナベースのアセンブリから除去する方法であって、前記ライナベースのアセンブリは、オーバーパックと、前記オーバーパック内に位置決めされ、材料およびヘッドスペースガスを含むライナと、前記ライナを密閉するための閉鎖具とを備え、前記方法は、
前記ライナの内部と流体連絡している一方向弁を提供し、前記ライナの内部から出る方向の流動を可能にすることと、
前記一方向弁に真空を印加することにより、ヘッドスペースガスを前記ライナの内部から排出することと
を含む、方法。
【請求項２】
前記ライナベースのアセンブリは、前記オーバーパックとライナとの間の環状空間と流体連絡しているポートをさらに含み、前記方法は、前記ポートにキャップをすることをさらに含む、請求項１に記載の方法。
【請求項３】
ヘッドスペースガス除去のために構成されたライナベースのアセンブリであって、前記ライナベースのアセンブリは、
オーバーパックと、
前記オーバーパック内に位置決めされたライナと、
前記ライナを密閉するために、前記ライナと取り外し可能に結合するように構成された閉鎖具と、
前記ライナの内部と流体連絡し、前記ライナの内部から出る方向の流動を可能にする一方向弁と
を備える、ライナベースのアセンブリ。
【請求項４】
前記一方向弁は、前記閉鎖具に結合されている、請求項３に記載のライナベースのアセンブリ。
【請求項５】
前記オーバーパックとライナとの間の環状空間と流体連絡しているポートをさらに備える、請求項４に記載のライナベースのアセンブリ。
【請求項６】
前記ポートは、ヘッドスペースガス除去のために、一時的にキャップをされる、請求項５に記載のライナベースのアセンブリ。
【請求項７】
コンテナアセンブリを充填する方法であって、前記方法は、
材料を所定の温度に加熱し、前記所定の温度において、前記コンテナを前記材料で充填することと、
前記コンテナを密閉することと、
前記コンテナを密閉した後、前記コンテナ内の材料を冷却させることと
を含む、方法。
【請求項８】
前記所定の温度は、約４０〜６０℃である、請求項７に記載の方法。
【請求項９】
前記材料は、概して、前記コンテナが位置する部屋の周囲温度まで冷却される、請求項８に記載の方法。
【請求項１０】
実質的に、いかなる余剰空間もヘッドスペースガスのために提供されないように、実質的に上部まで、前記コンテナを前記材料で充填することをさらに含む、請求項７に記載の方法。
【請求項１１】
前記コンテナを密閉した後、ヘッドスペースガスを除去することをさらに含む、請求項７に記載の方法。
【請求項１２】
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能な閉鎖具アセンブリであって、前記閉鎖具アセンブリは、ヘッドスペース通気口およびリザーバを含み、前記リザーバは、前記ライナの内部内に貯蔵された材料の溢流を集めるように構成されている、閉鎖具アセンブリと
を備え、前記閉鎖具アセンブリは、前記リザーバ内の材料の溢流を硬化させることによって、前記ライナにシールを形成するように構成されている、ライナベースのアセンブリ。
【請求項１３】
前記材料は、接着剤である、請求項１２に記載のライナベースのアセンブリ。
【請求項１４】
前記リザーバを取り外し可能に密閉するように構成されたキャップをさらに備える、請求項１３に記載のライナベースのアセンブリ。
【請求項１５】
コンテナを充填および密閉する方法であって、前記方法は、
前記コンテナを接着剤で充填することと、
閉鎖具アセンブリを前記コンテナに動作可能に結合することであって、前記閉鎖具アセンブリは、前記接着剤の溢流を集めるように構成されているリザーバを備える、ことと、
前記コンテナ内の接着剤の一部を前記閉鎖具アセンブリのリザーバ内に流動可能にすること、または流動させることのうちの少なくとも１つを行なうことと、
前記リザーバ内の接着剤の溢流を硬化させることにより、前記コンテナのためのシールを形成することと
を含む、方法。
【請求項１６】
前記閉鎖具アセンブリにキャップをすることにより、前記リザーバを取り外し可能に密閉することをさらに含む、請求項１５に記載の方法。
【請求項１７】
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能なキャップアセンブリであって、前記キャップアセンブリは、閉鎖具と、プラグ部材とを備え、前記閉鎖具は、分配コネクタに着脱可能に結合し、さらに、前記プラグ部材に着脱可能に結合するように構成された口部を含み、前記プラグは、前記閉鎖具の口部を実質的に完全に充填するように構成されている、キャップアセンブリと
を備える、ライナベースのアセンブリ。
【請求項１８】
前記ライナは、生物学的溶剤を含み、前記分配コネクタは、生物学的溶剤を分配するように構成されている、請求項１７に記載のライナベースのアセンブリ。
【請求項１９】
ライナベースのアセンブリの内容物を分配する方法であって、前記方法は、
中に所望の物質が貯蔵されたライナを提供することであって、前記ライナは、オーバーパック内に配置され、ライナ首部を備え、シールが前記ライナ首部に固定される、ことと、
分配コネクタ上のプローブが、最初は、前記ライナ首部におけるシールに隣接するが前記シールを穿刺せずに位置決めされる一方、前記物質が圧力分配によって分配される場合に、前記シールが、前記プローブにぶつかって上向きに湾曲し、前記プローブが、前記シールを穿刺することにより、前記物質の分配を可能にするよう位置決めされるように、前記分配コネクタを前記ライナ首部に固定することと
を含む、方法。
【請求項２０】
前記物質は、間接圧力分配によって分配され、圧力は、前記ライナとオーバーパックとの間の環状空間に印加される、請求項１９に記載の方法。
【手続補正２】
【補正対象書類名】明細書
【補正対象項目名】００１３
【補正方法】変更
【補正の内容】
【００１３】
複数の実施形態が開示されるが、本開示の例証的実施形態を示して説明する以下の詳細な説明から、本開示のさらに他の実施形態が、当業者に明白となる。認識されるように、本開示の種々の実施形態は、全て本開示の精神および範囲から逸脱することなく、種々の明確な側面で修正が可能である。したがって、図面および詳細な説明は、本質的に制限的ではなく例証的と見なされるものである。
本発明は、例えば、以下を提供する。
（項目１）
ヘッドスペースガスをライナベースのアセンブリから除去する方法であって、前記ライナベースのアセンブリは、オーバーパックと、前記オーバーパック内に位置決めされ、材料およびヘッドスペースガスを含むライナと、前記ライナを密閉するための閉鎖具とを備え、前記方法は、
前記ライナの内部と流体連絡している一方向弁を提供し、前記ライナの内部から出る方向の流動を可能にすることと、
前記一方向弁に真空を印加することにより、ヘッドスペースガスを前記ライナの内部から排出することと
を含む、方法。
（項目２）
前記ライナベースのアセンブリは、前記オーバーパックとライナとの間の環状空間と流体連絡しているポートをさらに含み、前記方法は、前記ポートにキャップをすることをさらに含む、項目１に記載の方法。
（項目３）
ヘッドスペースガス除去のために構成されたライナベースのアセンブリであって、前記ライナベースのアセンブリは、
オーバーパックと、
前記オーバーパック内に位置決めされたライナと、
前記ライナを密閉するために、前記ライナと取り外し可能に結合するように構成された閉鎖具と、
前記ライナの内部と流体連絡し、前記ライナの内部から出る方向の流動を可能にする一方向弁と
を備える、ライナベースのアセンブリ。
（項目４）
前記一方向弁は、前記閉鎖具に結合されている、項目３に記載のライナベースのアセンブリ。
（項目５）
前記オーバーパックとライナとの間の環状空間と流体連絡しているポートをさらに備える、項目４に記載のライナベースのアセンブリ。
（項目６）
前記ポートは、ヘッドスペースガス除去のために、一時的にキャップをされる、項目５に記載のライナベースのアセンブリ。
（項目７）
コンテナアセンブリを充填する方法であって、前記方法は、
材料を所定の温度に加熱し、前記所定の温度において、前記コンテナを前記材料で充填することと、
前記コンテナを密閉することと、
前記コンテナを密閉した後、前記コンテナ内の材料を冷却させることと
を含む、方法。
（項目８）
前記所定の温度は、約４０〜６０℃である、項目７に記載の方法。
（項目９）
前記材料は、概して、前記コンテナが位置する部屋の周囲温度まで冷却される、項目８に記載の方法。
（項目１０）
実質的に、いかなる余剰空間もヘッドスペースガスのために提供されないように、実質的に上部まで、前記コンテナを前記材料で充填することをさらに含む、項目７に記載の方法。
（項目１１）
前記コンテナを密閉した後、ヘッドスペースガスを除去することをさらに含む、項目７に記載の方法。
（項目１２）
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能な閉鎖具アセンブリであって、前記閉鎖具アセンブリは、ヘッドスペース通気口およびリザーバを含み、前記リザーバは、前記ライナの内部内に貯蔵された材料の溢流を集めるように構成されている、閉鎖具アセンブリと
を備え、前記閉鎖具アセンブリは、前記リザーバ内の材料の溢流を硬化させることによって、前記ライナにシールを形成するように構成されている、ライナベースのアセンブリ。
（項目１３）
前記材料は、接着剤である、項目１２に記載のライナベースのアセンブリ。
（項目１４）
前記リザーバを取り外し可能に密閉するように構成されたキャップをさらに備える、項目１３に記載のライナベースのアセンブリ。
（項目１５）
コンテナを充填および密閉する方法であって、前記方法は、
前記コンテナを接着剤で充填することと、
閉鎖具アセンブリを前記コンテナに動作可能に結合することであって、前記閉鎖具アセンブリは、前記接着剤の溢流を集めるように構成されているリザーバを備える、ことと、
前記コンテナ内の接着剤の一部を前記閉鎖具アセンブリのリザーバ内に流動可能にすること、または流動させることのうちの少なくとも１つを行なうことと、
前記リザーバ内の接着剤の溢流を硬化させることにより、前記コンテナのためのシールを形成することと
を含む、方法。
（項目１６）
前記閉鎖具アセンブリにキャップをすることにより、前記リザーバを取り外し可能に密閉することをさらに含む、項目１５に記載の方法。
（項目１７）
圧力分配と併用するためのライナベースのアセンブリであって、前記ライナベースのアセンブリは、
オーバーパックと、
前記オーバーパック内に配置されたライナと、
前記オーバーパックおよび前記ライナのうちの少なくとも１つに固定可能なキャップアセンブリであって、前記キャップアセンブリは、閉鎖具と、プラグ部材とを備え、前記閉鎖具は、分配コネクタに着脱可能に結合し、さらに、前記プラグ部材に着脱可能に結合するように構成された口部を含み、前記プラグは、前記閉鎖具の口部を実質的に完全に充填するように構成されている、キャップアセンブリと
を備える、ライナベースのアセンブリ。
（項目１８）
前記ライナは、可食食品物質を含み、前記分配コネクタは、食品物質を分配するように構成されている、項目１７に記載のライナベースのアセンブリ。
（項目１９）
ライナベースのアセンブリの内容物を分配する方法であって、前記方法は、
中に所望の物質が貯蔵されたライナを提供することであって、前記ライナは、オーバーパック内に配置され、ライナ首部を備え、シールが前記ライナ首部に固定される、ことと、
前記分配コネクタ上のプローブが、最初は、前記ライナ首部におけるシールに隣接するが、前記シールを穿刺せずに位置決めされるが、前記物質が圧力分配によって分配される場合に、前記シールが、前記プローブにぶつかって上向きに湾曲し、前記プローブが、前記シールを穿刺することにより、前記物質の分配を可能にするよう位置決めされるように、分配コネクタを前記ライナ首部に固定することと
を含む、方法。
（項目２０）
前記物質は、間接圧力分配によって分配され、圧力は、前記ライナとオーバーパックとの間の環状空間に印加される、項目１９に記載の方法。